(57)【要約】【課題】ペン先没入状態及びペン先突出状態のいずれであっても、摩擦体を用いた安定した摩擦操作が可能であり、しかも非使用時にノック体を不用意に押圧してペン先を誤って突出状態にさせることを回避できる熱変色性筆記具を提供する。【解決手段】軸筒２の後端孔２２の内面の横断面形状を非円形状とする。ノック部材６の側壁に、後端孔２２に挿入可能な規制壁部６１が形成される。規制壁部６１の外面の横断面形状を、後端孔２２の内面の形状に対応した非円形状とする。規制壁部６１が後端孔２２内にあるとき、ノック部材６の前方への押圧操作が可能となる。規制壁部６１が後端孔２２の開口部より後方に位置されたとき、ノック部材６が軸筒２に対して回転可能となる。規制壁部６１の前端が軸筒２の後端孔２２の開口縁部に当接された状態のとき、ノック部材６の前方移動が阻止される。【選択図】  図４
2018108669.tif 000002
【特許請求の範囲】
【請求項１】
筆記体の内部に熱変色性インキを収容し、前記筆記体の前端に前記熱変色性インキが吐出可能なペン先を設け、前記筆記体を軸筒内に前後方向に移動可能に収容し、前記軸筒の後端孔より後方にノック部材を突出させ、前記ノック部材を前方に押圧することによりペン先を軸筒の前端孔から突出状態にし、再度、前記ノック部材を前方に押圧することにより前記ペン先突出状態を解除しペン先を軸筒の前端孔より軸筒内に没入状態にする出没機構を備え、前記ノック部材の後端部外面に、前記熱変色性インキの筆跡を摩擦しその際に生じる摩擦熱で前記熱変色性インキの筆跡を熱変色可能な摩擦部を設けた熱変色性筆記具であって、
前記出没機構が、前記軸筒内面に形成され、円周方向に沿って交互に配置された前後方向に延びる複数のカム歯及びカム溝と、前記筆記体の後方に前記軸筒に対して回転可能に配置され、前記カム歯または前記カム溝に交互に係合可能な複数の突条を有する回転部材と、前記回転部材の後方に、前記軸筒に対して回転不能且つ前後方向に移動可能に配置され、前記回転部材を回動させる複数のカム突起を有するとともに前記軸筒内面のカム溝に前後動自在に係合される複数の係合突起を有するカム部材と、前記カム部材を前方に押圧するノック部材と、前記筆記体を後方に付勢する弾発体と、を備え、
前記軸筒の後端孔の開口部内面の横断面形状を非円形状とするとともに、
前記ノック部材の側壁に、前記後端孔に挿入可能な規制壁部が形成され、前記規制壁部の外面の横断面形状を、前記後端孔の内面の形状に対応した非円形状とし、
前記ノック部材の規制壁部が前記後端孔内にあるとき、前記ノック部材の前方への押圧操作が可能となり、
前記ノック部材の規制壁部が前記後端孔の開口部より後方に位置されたとき、前記ノック部材が前記軸筒に対して回転可能となり、
前記ノック部材が前記軸筒に対して回転操作され、前記ノック部材の規制壁部の前端が前記軸筒の後端孔の開口縁部に当接された状態のとき、前記ノック部材の前方移動が阻止されることを特徴とする熱変色性筆記具。
【請求項２】
前記ノック部材が前記軸筒に対して前方に付勢され、前記ノック部材の規制壁部が前後方向に移動可能に前記後端孔内に配置される請求項１記載の熱変色性筆記具。
【発明の詳細な説明】
【技術分野】
【０００１】
本発明は、熱変色性筆記具に関する。
【背景技術】
【０００２】
従来、例えば、特許文献１には、筆記体の内部に熱変色性インキを収容し、前記筆記体の前端に前記熱変色性インキが吐出可能なペン先を設け、前記筆記体を軸筒内に前後方向に移動可能に収容し、前記軸筒の後端部にノック体を設け、前記ノック体を前方に押圧することによりペン先を軸筒の前端孔から突出状態にし、再度、前記ノック体を前方に押圧することにより前記ペン先突出状態を解除しペン先を軸筒の前端孔より軸筒内に没入状態にする出没機構を備え、前記ノック体の後端部外面に、前記熱変色性インキの筆跡を摩擦しその際に生じる摩擦熱で前記熱変色性インキの筆跡を熱変色可能な摩擦体を設け、前記摩擦体に係合部を設けるとともに前記摩擦体の係合部と係合可能な被係合部を設け、前記摩擦体を用いた摩擦操作の際、前記係合部と前記被係合部とを係合させ、軸筒に対する摩擦体の前後方向の移動を阻止してなることを特徴とする熱変色性筆記具が開示されている。
【０００３】
さらに、特許文献１には、ペン先突出状態において、前記摩擦体の係合部と前記軸筒の係合部（Ｌ字状の溝の周方向に延びる溝）に係合させ、軸筒に対する摩擦体の前後方向の移動を阻止してなる構成が開示されている。
【先行技術文献】
【特許文献】
【０００４】
【特許文献１】特開２０１１−３７０８７号公報
【発明の概要】
【発明が解決しようとする課題】
【０００５】
前記特許文献１の熱変色性筆記具は、ペン先突出状態で摩擦体の前後方向の移動を阻止してなり、ペン先没入状態では、摩擦体の前後方向の移動を阻止については考慮されていない。そのため、ペン先没入状態では摩擦体を用いた安定した摩擦操作が困難であるとともに、非使用時にノック体を不用意に押圧してペン先を誤って突出状態にさせるおそれがある。
【０００６】
本発明は、前記従来の問題点を解決するものであって、ペン先没入状態及びペン先突出状態のいずれであっても、摩擦体を用いた安定した摩擦操作が可能であり、しかも非使用時にノック部材を不用意に押圧してペン先を誤って突出状態にさせることを回避できる熱変色性筆記具を提供しようとするものである。
【０００７】
尚、本発明において、「前」とはペン体側を指し、「後」とはその反対側を指す。尚、本発明で、「ペン先没入状態」とは、ペン先が軸筒内に没入した状態をいい、「ペン先突出状態」とは、ペン先が軸筒の前端より外部に突出した状態をいう。
【課題を解決するための手段】
【０００８】
本願の第１の発明に係る熱変色性筆記具１は、筆記体３の内部に熱変色性インキを収容し、前記筆記体３の前端に前記熱変色性インキが吐出可能なペン先３１を設け、前記筆記体３を軸筒２内に前後方向に移動可能に収容し、前記軸筒２の後端孔２２より後方にノック部材６を突出させ、前記ノック部材６を前方に押圧することによりペン先３１を軸筒２の前端孔２１から突出状態にし、再度、前記ノック部材６を前方に押圧することにより前記ペン先突出状態を解除しペン先３１を軸筒２の前端孔２１より軸筒２内に没入状態にする出没機構を備え、前記ノック部材６の後端部外面に、前記熱変色性インキの筆跡を摩擦しその際に生じる摩擦熱で前記熱変色性インキの筆跡を熱変色可能な摩擦部８を設けた熱変色性筆記具であって、
前記出没機構が、前記軸筒２内面に形成され、円周方向に沿って交互に配置された前後方向に延びる複数のカム歯２４及びカム溝２５と、前記筆記体３の後方に前記軸筒２に対して回転可能に配置され、前記カム歯２４または前記カム溝２５に交互に係合可能な複数の突条４１を有する回転部材４と、前記回転部材４の後方に、前記軸筒２に対して回転不能且つ前後方向に移動可能に配置され、前記回転部材４を回動させる複数のカム突起５１を有するとともに前記軸筒２内面のカム溝２５に前後動自在に係合される複数の係合突起５２を有するカム部材５と、前記カム部材５を前方に押圧するノック部材６と、前記筆記体３を後方に付勢する弾発体７と、を備え、
前記軸筒２の後端孔２２の開口部内面の横断面形状を非円形状とするとともに、
前記ノック部材６の側壁に、前記後端孔２２に挿入可能な規制壁部６１が形成され、前記規制壁部６１の外面の横断面形状を、前記後端孔２２の内面の形状に対応した非円形状とし、
前記ノック部材６の規制壁部６１が前記後端孔２２内にあるとき、前記ノック部材６の前方への押圧操作が可能となり、
前記ノック部材６の規制壁部６１が前記後端孔２２の開口部より後方に位置されたとき、前記ノック部材６が前記軸筒２に対して回転可能となり、
前記ノック部材６が前記軸筒２に対して回転操作され、前記ノック部材６の規制壁部６１の前端が前記軸筒２の後端孔２２の開口縁部に当接された状態のとき、前記ノック部材６の前方移動が阻止されることを要件とする。
【０００９】
本願の第１の発明に係る熱変色性筆記具１は、前記構成により、ペン先没入状態及びペン先突出状態のいずれであっても、摩擦体を用いた安定した摩擦操作が可能であり、しかも非使用時にノック部材６を不用意に押圧してペン先３１を誤って突出状態にさせることを回避できる。
【００１０】
本願の第２の発明に係る熱変色性筆記具１は、前記本願の第１の発明に係る熱変色性筆記具１において、前記ノック部材６が前記軸筒２に対して前方に付勢され、前記ノック部材６の規制壁部６１が前後方向に移動可能に前記後端孔２２内に配置されることを要件とする。
【００１１】
本願の第２の発明に係る熱変色性筆記具１は、前記構成により、通常の筆記使用時（非摩擦操作時）において、規制壁部６１が常時、後端孔２２内に配置されるため、摩擦部８を用いて摩擦操作するとき以外に、不用意に、規制壁部６１の前端が後端孔２２の開口縁部より後方に位置され、ノック部材６の規制壁部６１の前端と後端孔２２の開口縁部とが当接されることを回避できる。
【発明の効果】
【００１２】
本発明の熱変色性筆記具は、ペン先没入状態及びペン先突出状態のいずれであっても、摩擦体を用いた安定した摩擦操作が可能であり、しかも非使用時にノック部材を不用意に押圧してペン先を誤って突出状態にさせることを回避できる。
【図面の簡単な説明】
【００１３】
【図１】本発明の実施の形態の非摩擦操作時のペン先没入状態を示す縦断面図である。
【図２】図１の要部拡大縦断面図である。
【図３】図１の摩擦操作時のペン先没入状態を示す縦断面図である。
【図４】図３の要部拡大縦断面図である。
【図５】図１の非摩擦操作時のペン先突出状態を示す縦断面図である。
【図６】図５の要部拡大縦断面図である。
【図７】図１の摩擦操作時のペン先突出状態を示す縦断面図である。
【図８】図７の要部拡大縦断面図である。
【図９】（ａ）は、図１のノック部材６が前後方向に移動可能な状態を示す要部斜視図であり、（ｂ）は、図１のノック部材６の前後方向の移動が阻止された状態を示す要部斜視図である。
【図１０】図１の出没機構を示す分解図である。
【発明を実施するための形態】
【００１４】
本発明の熱変色性筆記具１の実施の形態を図面に従って説明する。（図１乃至図１０参照）
【００１５】
本実施の形態の熱変色性筆記具１は、軸筒２と、該軸筒２内に収容される筆記体３と、該筆記体３のペン先３１を軸筒２の前端孔２１より出没自在にさせる出没機構とを備える。前記軸筒２は、円筒状の前軸２ａと、該前軸２ａの後端に連結される円筒状の中間軸２ｂと、該中間軸２ｂの後端に連結される円筒状の後軸２ｃとからなる。
【００１６】
・前軸
前軸２ａは、先細円筒状の合成樹脂の成形体である。前軸２ａの前端には前端孔２１３１が前後方向に貫設される。前軸２ａの側面には弾性材料からなる把持部が形成される。前軸２ａの後端開口部外面には、オネジ部が一体に形成される。
【００１７】
・中間軸
前記中間軸２ｂは、円筒状の合成樹脂の成形体である。前記中間軸２ｂの内面には、カム部が一体に形成される。中間軸２ｂの後端開口部の内面には、段部２３が形成される。
【００１８】
・後軸
前記後軸２ｃは、円筒状の合成樹脂の成形体である。前記後軸２ｃの後端には、後端孔２２が前後方向に貫設される。前記後軸２ｃの側壁外面には、軸筒２外面とポケット等を挟持可能な前後方向に延びるクリップが設けられる。前記クリップは、後軸４の側壁外面に一体に形成されるか、または別部材の取り付けにより設けられる。
【００１９】
後軸２ｃの後端孔２２の内面の横断面形状は、正六角形の形状を有する。後端孔２２の内面の横断面形状は、非円形状であれば、何れの形状であってもよく、例えば、正三角形、正四角形等の正多角形のほか、楕円形状であってもよい。
【００２０】
・筆記体
筆記体３は、ペン先３１と、該ペン先３１が前端開口部に圧入固着されたインキ収容管３２と、該インキ収容管内３２に充填される熱変色性インキと、該熱変色性インキの後端に充填され且つ該熱変色性インキの消費に伴い前進する追従体（例えば高粘度流体）とからなる。
【００２１】
前記ペン先３１は、例えば、前端に回転可能にボールを抱持した金属製のボールペンのみからなる構成、または前記ボールペンチップの後部外面を保持した合成樹脂製のペン先ホルダーからなる構成のいずれであってもよい。また、前記インキ収容管３２の後端開口部に、インキ収容管３２と外部とが通気可能な通気孔を備えた尾栓を取り付けてもよい。
【００２２】
・出没機構
出没機構（図１０参照）は、回転カム機構を用いたノック式出没機構であり、前記軸筒２内面に形成され、円周方向に沿って交互に配置された前後方向に延びる複数のカム歯２４及びカム溝２５と、前記筆記体３の後端に当接され且つ前記軸筒２に対して回転可能に配置され、前記カム歯２４または前記カム溝２５に交互に係合可能な複数の突条４１を有する回転部材４と、前記回転部材４の後方に、前記軸筒２に対して回転不能且つ前後方向に移動可能に配置され、前記回転部材４を回動させる複数のカム突起５１を有するとともに前記軸筒２内面のカム溝２５に前後動自在に係合される複数の係合突起５２を有するカム部材５と、前記カム部材５を前方に押圧するノック部材６と、前記筆記体３を後方に付勢する弾発体７（例えば圧縮コイルスプリング）とからなる。出没機構は、ペン先突出操作及びペン先没入操作のいずれもがノック部材６を前方に押圧する操作のダブルノック式である。
【００２３】
・回転部材
回転部材４は、その外面に長手方向に延びる３本の突条４１を備え、該突条４１がカム溝２５と係合される。回転部材４は、円筒状の合成樹脂の成形体である。回転部材４の内壁に、常時、筆記体３の後端が当接される。
【００２４】
・カム部材
カム部材５は、円筒状の合成樹脂の成形体である。カム部材５の前端部に、カム溝２５内を摺動する係合突起５２と、回転部材４の突条４１の後端と係合するカム突起５１とが設けられる。
【００２５】
・ノック部材
ノック部材６が、筒状体であり、前方に開口する前側筒部と、後方に開口する後側筒部とを備える。前側筒部の開口部には、回転部材４の後端部が挿入される。前側筒部の外面には、
径方向外方に突出する係止壁部６２が形成される。係止壁部６２にノック部材用弾発体９の前端が係止される。後側筒部の開口部には、弾性材料（例えば、シリコーン樹脂、ＳＢＳ樹脂、ＳＥＢＳ樹脂等）よりなる摩擦部８が固着される。
【００２６】
ノック部材６の側壁外面には、後端孔２２に挿入可能な規制壁部６１が形成される。規制壁部６１の外面の横断面形状が、後端孔２２の内面の横断面形状と対応し、正六角形状を有する。規制壁部６１の外面横断面形状は、非円形状であれば、何れの形状であってもよく、六角形状以外に、例えば、正三角形、正四角形等の正多角形のほか、楕円形状であってもよい。また、摩擦部８の外面の横断面形状が、後端孔２２の内面の横断面形状と対応し、六角形状を有する。それにより、摩擦部８が規制壁部６１の一部となり、後端孔２２に挿入可能である。規制壁部６１の外面の横断面形状が非円形状または多角形状を有するため、規制壁部６１を指でつまんで回転操作することが容易となる。
【００２７】
・ノック部材用弾発体
ノック部材６は、ノック部材用弾発体９（例えば圧縮コイルスプリング）により、前方付勢される。ノック部材用弾発体９の弾発力は、筆記体３を後方に付勢する弾発体７の弾発力より小さく設定される。ノック部材用弾発体９の前端は、ノック部材６の係止壁部６２に係止され、ノック部材用弾発体９の後端は、軸筒２（後軸２ｃ）の後端部の内壁に係止される。ノック部材６がノック部材用弾発体９の前方付勢されることにより、ノック部材６とカム部材５とが常時前後方向に当接状態にされる。
【００２８】
・ノック部材の規制壁部の作動
図１、図２、図５及び図６に、ノック部材６の前方への押圧操作可能状態を示す。
この状態において、規制壁部６１が後端孔２２内に前後方向移動可能に配置される。ペン先３１の出没操作が可能である。
【００２９】
図３、図４、図７及び図８に、ノック部材６の前方への押圧操作が阻止された状態を示す。
この状態は、前記図１、図２、図５及び図６の状態から、ノック部材６を軸筒２に対してノック部材用弾発体９の後方付勢に抗して後方に引くと同時に回転させることにより得る。この状態において、規制壁部６１の前端が後端孔２２の開口縁部に当接され、ノック部材６の前方移動が阻止される。それにより、摩擦部８を用いた安定した摩擦操作が可能となる。
【００３０】
本実施の形態の熱変色性筆記具１は、筆記体３の内部に熱変色性インキを収容し、前記筆記体３の前端に前記熱変色性インキが吐出可能なペン先３１を設け、前記筆記体３を軸筒２内に前後方向に移動可能に収容し、前記軸筒２の後端孔２２より後方にノック部材６を突出させ、前記ノック部材６を前方に押圧することによりペン先３１を軸筒２の前端孔２１から突出状態にし、再度、前記ノック部材６を前方に押圧することにより前記ペン先突出状態を解除しペン先３１を軸筒２の前端孔２１より軸筒２内に没入状態にする出没機構を備え、前記ノック部材６の後端部外面に、前記熱変色性インキの筆跡を摩擦しその際に生じる摩擦熱で前記熱変色性インキの筆跡を熱変色可能な摩擦部８を設けた熱変色性筆記具であって、前記出没機構が、前記軸筒２内面に形成され、円周方向に沿って交互に配置された前後方向に延びる複数のカム歯２４及びカム溝２５と、前記筆記体３の後方に前記軸筒２に対して回転可能に配置され、前記カム歯２４または前記カム溝２５に交互に係合可能な複数の突条４１を有する回転部材４と、前記回転部材４の後方に、前記軸筒２に対して回転不能且つ前後方向に移動可能に配置され、前記回転部材４を回動させる複数のカム突起５１を有するとともに前記軸筒２内面のカム溝２５に前後動自在に係合される複数の係合突起５２を有するカム部材５と、前記カム部材５を前方に押圧するノック部材６と、前記筆記体３を後方に付勢する弾発体７と、を備え、前記軸筒２の後端孔２２の開口部内面の横断面形状を非円形状とするとともに、前記ノック部材６の側壁に、前記後端孔２２に挿入可能な規制壁部６１が形成され、前記規制壁部６１の外面の横断面形状を、前記後端孔２２の内面の形状に対応した非円形状とし、前記ノック部材６の規制壁部６１が前記後端孔２２内にあるとき、前記ノック部材６の前方への押圧操作が可能となり、前記ノック部材６の規制壁部６１が前記後端孔２２の開口部より後方に位置されたとき、前記ノック部材６が前記軸筒２に対して回転可能となり、前記ノック部材６が前記軸筒２に対して回転操作され、前記ノック部材６の規制壁部６１の前端が前記軸筒２の後端孔２２の開口縁部に当接された状態のとき、前記ノック部材６の前方移動が阻止される。
【００３１】
本実施の形態の熱変色性筆記具１は、前記構成により、前記構成により、ペン先没入状態及びペン先突出状態のいずれであっても、摩擦体を用いた安定した摩擦操作が可能であり、しかも非使用時にノック部材６を不用意に押圧してペン先３１を誤って突出状態にさせることを回避できる。
【００３２】
本実施の形態の熱変色性筆記具１は、前記ノック部材６が前記軸筒２に対して前方に付勢され、前記ノック部材６の規制壁部６１が前後方向に移動可能に前記後端孔２２内に配置される。それにより、通常の筆記使用時において、規制壁部６１が常時、後端孔２２内に配置されるため、摩擦部８を用いて摩擦操作するとき以外に、不用意に、規制壁部６１の前端が後端孔２２の開口縁部より後方に位置され、ノック部材６の規制壁部６１の前端と後端孔２２の開口縁部とが当接されることを回避できる。
【符号の説明】
【００３３】
１  熱変色性筆記具
２  軸筒
２１  前端孔
２２  後端孔
２３  段部
２４  カム歯
２５  カム溝
２ａ  前軸
２ｂ  中間軸
２ｃ  後軸
３  筆記体
３１ ペン先
３２  インキ収容管
４  回転部材
４１  突条
５  カム部材
５１  カム突起
５２  係合突起
６  ノック部材
６１  規制壁部
６２  係止壁部
７  弾発体
８  摩擦部
９  ノック部材用弾発体
【図１】
2018108669.tif 000003
【図２】
2018108669.tif 000004
【図３】
2018108669.tif 000005
【図４】
2018108669.tif 000006
【図５】
2018108669.tif 000007
【図６】
2018108669.tif 000008
【図７】
2018108669.tif 000009
【図８】
2018108669.tif 000010
【図９】
2018108669.tif 000011
【図１０】
2018108669.tif 000012